(57)【要約】【課題】正面壁に化粧目地が形成されている場合であっても、鏡枠と正面壁との間の空間を狭めた状態で、正面壁に取り付けることができるエレベータかご室鏡を得る。【解決手段】鏡本体７と、鏡本体７の周囲を囲んだ鏡枠８と、かご室１の正面壁２に設けられ、正面壁２と鏡枠８とを離間させた状態で鏡枠８を支持した離間・支持手段９と、鏡枠８に設けられ、正面壁２と鏡枠８との間の隙間を塞ぐ鏡枠カバー１０とを備え、鏡枠カバー１０は、複数の鏡枠カバー片１５に分割されている。【選択図】図２
2010052856.tif 000002
【特許請求の範囲】
【請求項１】
鏡本体と、
前記鏡本体の周囲を囲んだ鏡枠と、
かご室の内壁に設けられ、前記内壁と前記鏡枠とが離間した状態で前記鏡枠を支持した離間・支持手段と、
前記鏡枠に設けられ、前記内壁と前記鏡枠との間の隙間を塞ぐ鏡枠カバーとを備え、
前記鏡枠カバーは、複数の鏡枠カバー片に分割されていることを特徴とするエレベータかご室鏡。
【請求項２】
前記鏡枠と前記鏡枠カバー片との間には、互いに係合可能な係合手段が設けられていることを特徴とする請求項１に記載のエレベータかご室鏡。
【請求項３】
前記係合手段は、前記鏡枠または前記鏡枠カバー片の何れか一方に形成された穴部と、他方に形成された、前記穴部に係合可能な凸部とから構成されていることを特徴とする請求項２に記載のエレベータかご室鏡。
【請求項４】
前記係合手段は、前記鏡枠または前記鏡枠カバー片の何れか一方に形成された溝部と、他方に形成された、前記溝部に係合し、前記溝部に沿ってスライド可能なレール状の凸部とから構成されていることを特徴とする請求項２に記載のエレベータかご室鏡。
【発明の詳細な説明】
【技術分野】
【０００１】
この発明は、鏡本体と、この鏡本体の周囲を囲んだ鏡枠とを備えたエレベータかご室鏡に関する。
【背景技術】
【０００２】
従来、鏡本体と、この鏡本体の周囲を囲んだ鏡枠と、この鏡枠とかご室の正面壁との間に設けられ、鏡枠と正面壁とが接触した状態で鏡枠を正面壁に固定した締結手段とを備え、鏡枠と正面壁との間の空間を狭めたエレベータかご室鏡が知られている（例えば、特許文献１参照）。
【０００３】
【特許文献１】特開２００４−３５９３８０号公報
【発明の開示】
【発明が解決しようとする課題】
【０００４】
しかしながら、このものの場合、正面壁に化粧目地が設けられているときには、化粧目地の一部が正面壁からかご室の内側の空間に向かって突出しているので、化粧目地と鏡枠とが接触し、鏡枠と正面壁とが離間してしまい、鏡枠を正面壁に取り付けることができないという問題点があった。
【０００５】
この発明は、上述のような問題点を解決することを課題とするものであって、その目的は、正面壁に化粧目地が形成されている場合であっても、鏡枠と正面壁との間の空間を狭めた状態で正面壁に取り付けることができるエレベータかご室鏡を提供するものである。
【課題を解決するための手段】
【０００６】
この発明に係るエレベータかご室鏡は、鏡本体と、前記鏡本体の周囲を囲んだ鏡枠と、かご室の内壁に設けられ、前記内壁と前記鏡枠とが離間した状態で前記鏡枠を支持した離間・支持手段と、前記鏡枠に設けられ、前記内壁と前記鏡枠との間の隙間を塞ぐ鏡枠カバーとを備え、前記鏡枠カバーは、複数の鏡枠カバー片に分割されている。
【発明の効果】
【０００７】
この発明に係るエレベータかご室鏡によれば、離間・支持手段が鏡枠と正面壁とを離間させて鏡枠を支持し、複数の鏡枠カバー片に分割された鏡枠カバーが正面壁と鏡枠との間の隙間を塞ぐので、正面壁に化粧目地が形成されている場合であっても、鏡枠と正面壁との間の空間を狭めた状態でエレベータかご室鏡を正面壁に取り付けることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータかご室鏡６が取り付けられたエレベータのかご室１の内側を示す図である。
エレベータのかご室１の内壁は、正面壁２と、この正面壁２の左右に隣接した横壁３から構成されている。
正面壁２は、左右２つの壁片２ａに分割されており、それぞれの壁片２ａの間には、それぞれの壁片２ａの間を繋ぐ化粧目地４が設けられている。
正面壁２とそれぞれの横壁３との間には、正面壁２と横壁３との間を繋ぐ化粧目地５が設けられている。
化粧目地４および化粧目地５は、一部が正面壁２からかご室１の内側の空間に向かって突出している。
この実施の形態に係るエレベータかご室鏡６は、化粧目地４を跨いで、正面壁２の表面の中央に設けられている。
【０００９】
図２（ａ）は図１のＡ−Ａ線に沿った矢視断面図、図２（ｂ）はＢ−Ｂ線に沿った矢視断面図、図３は図１の正面壁２およびエレベータかご室鏡６を示す断面図である。
このエレベータかご室鏡６は、平板形状の鏡本体７と、この鏡本体７の周囲を囲んだ鏡枠８とを備えている。
鏡本体７は、正面から視たときに四角形状となっている。
鏡枠８は、ロ字形状に形成されており、上枠８ａと、下枠８ｂと、上枠８ａおよび下枠８ｂを繋いだ一対の横枠８ｃとから構成されている。
また、このエレベータかご室鏡６は、正面壁２に設けられた離間・支持手段９と、鏡枠８に設けられた鏡枠カバー１０とを備えている。
離間・支持手段９は、正面壁２と鏡枠８とを離間させた状態で、鏡枠８を支持している。
これにより、化粧目地４と鏡枠８との干渉を防いでいる。
鏡枠カバー１０は、正面壁２と鏡枠８との間の空間を塞ぐように鏡枠８の背面に取り付けられている。
なお、化粧目地４と鏡枠８との間には、鏡枠カバー１０は設けられていない。
【００１０】
上枠８ａ、下枠８ｂおよび横枠８ｃのそれぞれは、断面Ｕ字形状に形成されており、上枠８ａ、下枠８ｂおよび横枠８ｃの内側には、鏡本体７の周縁部とともに緩衝材１１が挿入されている。
【００１１】
離間・支持手段９は、上枠８ａを支持する２個の上側支持部９ａと、下枠８ｂを支持する２個の下側支持部９ｂとを有している。
上側支持部９ａは、先端部が上枠８ａの下端面に当接し、下側支持部９ｂは、先端部が下枠８ｂの下端面に当接している。
また、この離間・支持手段９は、上側支持部９ａを正面壁２に固定する締結部材１２と、下側支持部９ｂを正面壁２に固定する締結部材１３とを有している。
【００１２】
締結部材１２は、正面壁２に形成された孔（図示せず）と上側支持部９ａに形成された孔（図示せず）とに挿入されたボルト１２ａと、このボルト１２ａに取り付けられたナット１２ｂとを備えている。
ボルト１２ａおよびナット１２ｂにより、正面壁２と上側支持部９ａとを締め付けることで、上側支持部９ａが正面壁２に固定される。
【００１３】
締結部材１３は、正面壁２に形成された孔（図示せず）と下側支持部９ｂに形成された孔（図示せず）とに挿入されたボルト１３ａと、このボルト１３ａに取り付けられたナット１３ｂとを備えている。
ボルト１３ａおよびナット１３ｂにより、正面壁２と下側支持部９ｂとを締め付けることで、下側支持部９ｂが正面壁２に固定される。
下枠８ｂと下側支持部９ｂとには、下枠８ｂと下側支持部９ｂとを固定する締結部材１４が設けられている。
この締結部材１４は、下枠８ｂに形成された孔（図示せず）と下側支持部９ｂに形成された孔（図示せず）とに螺着したねじ１４ａを備えている。
【００１４】
鏡枠カバー１０は、複数個に分割された鏡枠カバー片１５から構成されている。
それぞれの鏡枠カバー片１５は、正面壁２および鏡枠８に接触するようにして、鏡枠８に締結部材１６を用いて固定されている。
この締結部材１６は、鏡枠８に形成された孔（図示せず）と鏡枠カバー片１５に形成された孔（図示せず）とに螺着したねじ１６ａを備えている。
【００１５】
以上説明したように、この実施の形態に係るエレベータかご室鏡６によれば、離間・支持手段９が鏡枠８と正面壁２とを離間させた状態で鏡枠８を支持し、複数の鏡枠カバー片１５に分割された鏡枠カバー１０が正面壁２と鏡枠８との間を塞ぐので、かご室１の正面壁２に化粧目地４が形成されている場合であっても、エレベータかご室鏡６と正面壁２との間の空間を狭めた状態でエレベータかご室鏡６を正面壁２に取り付けることができる。
【００１６】
図４は、この実施の形態に係るエレベータかご室鏡６が取り付けられたエレベータのかご室１のその他の例を示す正面図、図５は図４のかご室１およびエレベータかご室鏡６を示す断面図である。
エレベータかご室鏡６が取り付けられるエレベータは、かご室１の正面壁２が、左右方向に３つの壁片２ｂに分割されており、それぞれの壁片２ｂの間には、それぞれの壁片２ｂの間を塞ぐ化粧目地４が設けられている。
鏡枠カバー片１５は、化粧目地４と鏡枠８との間には設けられず、正面壁２と鏡枠８との間に、正面壁２と鏡枠８との間を塞いで設けられている。
これにより、かご室１の正面壁２に複数の化粧目地４が設けられている場合であっても、正面壁２と鏡枠８との間の空間を狭めることができる。
【００１７】
実施の形態２．
図６はこの実施の形態に係るエレベータかご室鏡６を示す斜視図、図７は図６のエレベータかご室鏡６を示す断面図である。
この実施の形態に係るエレベータかご室鏡６は、鏡枠８と鏡枠カバー片１５との間に、互いに係合可能な係合手段１７が設けられている。
この係合手段１７は、鏡枠８の背面側に形成された複数の穴部８ｄと、鏡枠カバー片１５のそれぞれに形成された、穴部８ｄに係合可能な凸部１５ａとから構成されている。
それぞれの穴部８ｄは、鏡本体７の４辺に沿って並べて形成されている。
上枠８ａおよび下枠８ｂに取り付けられた鏡枠カバー片１５は、左右方向に複数個並べて配置されている。
一方、横枠８ｃに取り付けられた鏡枠カバー片１５は、上下方向に延びて１本に形成されたものが配置されている。
その他の構成は、実施の形態１と同様である。
【００１８】
以上説明したように、この実施の形態に係るエレベータかご室鏡６によれば、鏡枠８と鏡枠カバー片１５とを間に、互いに係合可能な係合手段１７が設けられているので、鏡枠カバー片１５を鏡枠８に固定する締結部材１６を省くことができ、構成を簡単にすることができる。
【００１９】
また、係合手段１７は、鏡枠８に形成された複数の穴部８ｄと、鏡枠カバー片１５に形成された凸部１５ａとから構成されているので、鏡枠８および鏡枠カバー片１５の形状が簡単となり、成型品として容易に製造することができる。
【００２０】
なお、この実施の形態では、鏡枠８に形成された複数の穴部８ｄと、鏡枠カバー片１５に形成された凸部１５ａとから構成された係合手段１７について説明したが、勿論このものに限らず、鏡枠８に形成された複数の凸部と、鏡枠カバー片１５に形成された穴部とから構成された係合手段１７であってもよい。
【００２１】
実施の形態３．
図８はこの実施の形態に係るエレベータかご室鏡６を示す斜視図である。
この実施の形態に係るエレベータかご室鏡６は、鏡枠８と鏡枠カバー片１５との間に、互いに係合可能な係合手段１７が設けられている。
この係合手段１７は、鏡枠８の背面側に形成された溝部８ｅと、鏡枠カバー片１５のそれぞれに形成された、溝部８ｅに係合可能なレール形状の凸部１５ｂとから構成されている。
溝部８ｅは、鏡本体７の４辺に沿って連続して形成されている。
凸部１５ｂは、溝部８ｅに沿ってスライド可能となっている。
上枠８ａおよび下枠８ｂに取り付けられた鏡枠カバー片１５は、左右方向に複数個並べて配置されている。
一方、横枠８ｃに取り付けられた鏡枠カバー片１５は、上下方向に延びて一本に形成されたものが配置されている。
その他の構成は、実施の形態１と同様である。
【００２２】
以上説明したように、この実施の形態に係るエレベータかご室鏡６によれば、係合手段１７は、鏡枠８に形成された溝部８ｅと、鏡枠カバー片１５に形成された凸部１５ｂとから構成されているので、溝部８ｅに凸部１５ｂをスライドさせることができ、鏡枠カバー片１５を配置する位置の自由度を増大させることができる。
【００２３】
なお、この実施の形態では、鏡枠８に形成された複数の溝部８ｅと、鏡枠カバー片１５に形成された凸部１５ｂとから構成された係合手段１７について説明したが、勿論このものに限らず、鏡枠８に形成された複数の凸部と、鏡枠カバー片１５に形成された溝部とから構成された係合手段１７であってもよい。
【００２４】
また、上記各実施の形態では、化粧目地４が設けられた正面壁２に取り付けられるエレベータかご室鏡６について説明したが、勿論、化粧目地４が設けられていない正面壁２に取り付けられるエレベータかご室鏡６であってもよい。
また、エレベータかご室鏡６は、正面壁２に限らず、横壁３に取り付けてもよい。
【図面の簡単な説明】
【００２５】
【図１】この発明の実施の形態１に係るエレベータかご室鏡が取り付けられたエレベータのかご室の内側を示す図である。
【図２】図２（ａ）は図１のＡ−Ａ線に沿った矢視断面図、図２（ｂ）は図１のＢ−Ｂ線に沿った矢視断面図である。
【図３】図１のエレベータかご室鏡および正面壁を示す断面図である。
【図４】この発明の実施の形態１に係るエレベータかご室鏡が取り付けられたエレベータのかご室のその他の例を示す正面図である。
【図５】図４のエレベータかご室鏡およびかご室を示す断面図である。
【図６】この発明の実施の形態２に係るエレベータのかご室鏡を示す斜視図である。
【図７】図６のエレベータかご室鏡を示す断面図である。
【図８】この発明の実施の形態３に係るエレベータかご室鏡を示す斜視図である。
【符号の説明】
【００２６】
１  かご室、２  正面壁、２ａ  壁片、２ｂ  壁片、３  横壁、４  化粧目地、５  化粧目地、６  エレベータかご室鏡、７  鏡本体、８  鏡枠、８ａ  上枠、８ｂ  下枠、８ｃ  横枠、８ｄ  穴部、８ｅ  溝部、９  離間・支持手段、９ａ  上側支持部、９ｂ  下側支持部、１０  鏡枠カバー、１１  緩衝材、１２  締結部材、１２ａ  ボルト、１２ｂ  ナット、１３  締結部材、１３ａ  ボルト、１３ｂ  ナット、１４  締結部材、１４ａ  ねじ、１５  鏡枠カバー片、１５ａ  凸部、１５ｂ  凸部、１６  締結部材、１６ａ  ねじ、１７  係合手段。
【図１】
2010052856.tif 000003
【図２】
2010052856.tif 000004
【図３】
2010052856.tif 000005
【図４】
2010052856.tif 000006
【図５】
2010052856.tif 000007
【図６】
2010052856.tif 000008
【図７】
2010052856.tif 000009
【図８】
2010052856.tif 000010